(57)【要約】【課題】本発明は水晶クリーニング箱を開示した。【解決手段】クリーニング箱とクリーニング箱の中に置かれた空きチャンバとを含み、前記空きチャンバが前方に開口しており、前記空きチャンバの後壁には支持枠ロッドが左右に対称的に固定的に設けられ、前記支持枠ロッドの前端には下置きブロックが固定的に設けられ、前記下置きブロックの上端面には電磁石が固定的に設けられ、前記下置きブロックの上側には上置きブロックが設けられ、前記上置きブロックと前記下置きブロックとが前記電磁石が通電された時に固定的に連結され、前記上置きブロックと前記下置きブロックとの間にはクリーニングチャンバが形成され、前記クリーニングチャンバの内壁にはクッションが設けられる。【選択図】図１
2020175371.tif 000002
【特許請求の範囲】
【請求項１】
正面視で、クリーニング箱とクリーニング箱の中に置かれた空きチャンバとを含み、前記空きチャンバが前方に開口しており、前記空きチャンバの後壁には支持枠ロッドが左右に対称的に固定的に設けられ、前記支持枠ロッドの前端には下置きブロックが固定的に設けられ、前記下置きブロックの上端面には電磁石が固定的に設けられ、前記下置きブロックの上側には上置きブロックが設けられ、前記上置きブロックと前記下置きブロックとが前記電磁石が通電された時に固定的に連結され、前記上置きブロックと前記下置きブロックとの間にはクリーニングチャンバが形成され、前記クリーニングチャンバの内壁にはクッションが設けられ、使用する時、前記上置きブロックを上げ、クリーニングしたい水晶玉を下置きブロックの中に置き、そして前記上置きブロックを前記下置きブロックに置き、前記電磁石が通電されて前記上置きブロックと前記下置きブロックとを固定し、前記クリーニングチャンバの内壁の中には上下に対称している第一抜き穴が設けられ、前記第一抜き穴が前記クリーニングチャンバの内壁を貫通しており、前記クリーニングチャンバの内壁の中には左右に対称している第二抜き穴が設けられ、前記第二抜き穴が前記クリーニングチャンバの内壁を貫通しており、前記空きチャンバの中には洗浄機構が設けられ、前記洗浄機構は取り付けブロックと、クリーニングクッションとを含み、前記取り付けブロックが上下に対称するように設けられ、前記クリーニングクッションが前記取り付けブロックの相対している端面に取り付けられ、洗浄する時、前記取り付けブロックと前記クリーニングクッションとが前記第一抜き穴の中伸びて水晶玉とくっつき、前記空きチャンバの中には回転機構が設けられ、前記回転機構は挟みブロックと、液圧シリンダーと、弓形リングと、動力軸とを含み、前記挟みブロックが左右に対称的に設けられ、且つ相対している面が円弧形面であり、充分に水晶玉にくっつくことができ、前記液圧シリンダーが作動した時に前記挟みブロックに水晶玉をきつく挟ませ、前記動力軸が回転し前記挟みブロックを回転連動させ、これにより水晶玉を回転連動させ、前記クリーニングクッションの作用によりクリーニングし、一定の時間にクリーニングした後、前記弓形リングが回転し前記液圧シリンダーと前記挟みブロックとを回転連動させ、水晶玉を一定の角度に回転させてクリーニングし、数回繰り返してクリーニングを完成することを特徴とする水晶クリーニング箱。
【請求項２】
前記洗浄機構は前記空きチャンバの後壁の中に設けられた親ねじチャンバを含み、前記空きチャンバの後壁にはモーターが固定的に設けられ、前記親ねじチャンバの上下壁の間には前記モーターと伝動できるように連結された親ねじが回転できるように設けられ、前記親ねじチャンバの中には前記親ねじとネジ山によって連結されたスライドブロックが上下に対称的にスライドできるように設けられ、前記スライドブロックの前端には中間板が固定的に設けられ、前記中間板の相対している端面には中間ロッドが固定的に設けられ、前記取り付けブロックが前記中間ロッドの相対している端に固定的に設けられ、前記モーターが始動して前記親ねじを回転させ、これにより前記クリーニングクッションを移動させて水晶玉にくっつけることを特徴とする請求項１に記載の水晶クリーニング箱。
【請求項３】
前記回転機構は前記空きチャンバの後壁に回転できるように設けられた回転軸を含み、前記回転軸と前記弓形リングとの間が固定ロッドにより左右に対称的に固定的に連結され、前記回転軸と前記空きチャンバの内壁との間にはトーションバネが連結され、前記回転軸の前端には伝動歯車が固定的に設けられ、前記空きチャンバの後壁には歯車軸が回転できるように設けられ、前記歯車軸には副歯車が固定的に設けられ、前記歯車軸の前端には扇形歯車が固定的に設けられ、前記空きチャンバの後壁には傘歯車軸が回転できるように設けられ、前記傘歯車軸には前記副歯車と噛合した主歯車が固定的に設けられ、前記傘歯車軸の前端には副傘歯車が固定的に設けられ、前記弓形リングの内壁には回転モーターが左右に対称的に、且つ固定的に設けられ、前記回転モーターと前記動力軸とが伝動できるように連結され、前記動力軸の相対している端には回転ブロックが固定的に設けられ、前記液圧シリンダーが前記回転ブロックの相対している端面に固定的に設けられ、前記液圧シリンダーの相対している端には液圧軸が伝動できるように連結され、前記液圧軸の相対している端には連結ロッドが固定的に設けられ、前記挟みブロックが前記連結ロッドの相対している端に固定的に設けられることを特徴とする請求項１に記載の水晶クリーニング箱。
【請求項４】
前記上置きブロックの外円周面には取っ手が左右に対称的に、且つ固定的に設けられていることを特徴とする請求項１に記載の水晶クリーニング箱。
【発明の詳細な説明】
【技術分野】
【０００１】
本発明は水晶クリーニング分野を取り上げて、具体的には水晶クリーニング箱である。
【背景技術】
【０００２】
一つの水晶玉は水晶玉の重量より四倍から六倍までの材料を消耗することにより誕生し、また水晶玉の観賞価値が高いため、価値が高く、水晶玉が長時間に置かれた後、表面に埃が付きやすく、クリーニングしなければならなく、伝統的なクリーニング方式は普通人工でクリーニングをするが、時間と力とがかかり、またクリーニングの過程に水晶玉がぶつけられるなどの、水晶玉がダメージを受けることが起きやすく、上記の問題に対し、本装置を提出する。
【先行技術文献】
【特許文献】
【０００３】
【特許文献１】中国特許出願公開第１０５１２５１５４号明細書
【発明の概要】
【発明が解決しようとする課題】
【０００４】
本発明の目的は水晶クリーニング箱を提供し、それは上記の現在の技術中の問題を解決できる。
【課題を解決するための手段】
【０００５】
本発明の水晶クリーニング箱は、クリーニング箱とクリーニング箱の中に置かれた空きチャンバとを含み、前記空きチャンバが前方に開口しており、前記空きチャンバの後壁には支持枠ロッドが左右に対称的に固定的に設けられ、前記支持枠ロッドの前端には下置きブロックが固定的に設けられ、前記下置きブロックの上端面には電磁石が固定的に設けられ、前記下置きブロックの上側には上置きブロックが設けられ、前記上置きブロックと前記下置きブロックとが前記電磁石が通電された時に固定的に連結され、前記上置きブロックと前記下置きブロックとの間にはクリーニングチャンバが形成され、前記クリーニングチャンバの内壁にはクッションが設けられ、使用する時、前記上置きブロックを上げ、クリーニングしたい水晶玉を下置きブロックの中に置き、そして前記上置きブロックを前記下置きブロックに置き、前記電磁石が通電されて前記上置きブロックと前記下置きブロックとを固定し、前記クリーニングチャンバの内壁の中には上下に対称している第一抜き穴が設けられ、前記第一抜き穴が前記クリーニングチャンバの内壁を貫通しており、前記クリーニングチャンバの内壁の中には左右に対称している第二抜き穴が設けられ、前記第二抜き穴が前記クリーニングチャンバの内壁を貫通しており、前記空きチャンバの中には洗浄機構が設けられ、前記洗浄機構は取り付けブロックと、クリーニングクッションとを含み、前記取り付けブロックが上下に対称するように設けられ、前記クリーニングクッションが前記取り付けブロックの相対している端面に取り付けられ、洗浄する時、前記取り付けブロックと前記クリーニングクッションとが前記第一抜き穴の中伸びて水晶玉とくっつき、前記空きチャンバの中には回転機構が設けられ、前記回転機構は挟みブロックと、液圧シリンダーと、弓形リングと、動力軸とを含み、前記挟みブロックが左右に対称的に設けられ、且つ相対している面が円弧形面であり、充分に水晶玉にくっつくことができ、前記液圧シリンダーが作動した時に前記挟みブロックに水晶玉をきつく挟ませ、前記動力軸が回転し前記挟みブロックを回転連動させ、これにより水晶玉を回転連動させ、前記クリーニングクッションの作用によりクリーニングし、一定の時間にクリーニングした後、前記弓形リングが回転し前記液圧シリンダーと前記挟みブロックとを回転連動させ、水晶玉を一定の角度に回転させてクリーニングし、数回繰り返してクリーニングを完成する。
【０００６】
優選の技術プランとして、前記洗浄機構は前記空きチャンバの後壁の中に設けられた親ねじチャンバを含み、前記空きチャンバの後壁にはモーターが固定的に設けられ、前記親ねじチャンバの上下壁の間には前記モーターと伝動できるように連結された親ねじが回転できるように設けられ、前記親ねじチャンバの中には前記親ねじとネジ山によって連結されたスライドブロックが上下に対称的にスライドできるように設けられ、前記スライドブロックの前端には中間板が固定的に設けられ、前記中間板の相対している端面には中間ロッドが固定的に設けられ、前記取り付けブロックが前記中間ロッドの相対している端に固定的に設けられ、前記モーターが始動して前記親ねじを回転させ、これにより前記クリーニングクッションを移動させて水晶玉にくっつける。
【０００７】
優選の技術プランとして、前記回転機構は前記空きチャンバの後壁に回転できるように設けられた回転軸を含み、前記回転軸と前記弓形リングとの間が固定ロッドにより左右に対称的に固定的に連結され、前記回転軸と前記空きチャンバの内壁との間にはトーションバネが連結され、前記回転軸の前端には伝動歯車が固定的に設けられ、前記空きチャンバの後壁には歯車軸が回転できるように設けられ、前記歯車軸には副歯車が固定的に設けられ、前記歯車軸の前端には扇形歯車が固定的に設けられ、前記空きチャンバの後壁には傘歯車軸が回転できるように設けられ、前記傘歯車軸には前記副歯車と噛合した主歯車が固定的に設けられ、前記傘歯車軸の前端には副傘歯車が固定的に設けられ、前記弓形リングの内壁には回転モーターが左右に対称的に、且つ固定的に設けられ、前記回転モーターと前記動力軸とが伝動できるように連結され、前記動力軸の相対している端には回転ブロックが固定的に設けられ、前記液圧シリンダーが前記回転ブロックの相対している端面に固定的に設けられ、前記液圧シリンダーの相対している端には液圧軸が伝動できるように連結され、前記液圧軸の相対している端には連結ロッドが固定的に設けられ、前記挟みブロックが前記連結ロッドの相対している端に固定的に設けられる。
【０００８】
優選の技術プランとして、前記上置きブロックの外円周面には取っ手が左右に対称的に、且つ固定的に設けられている。
【発明の効果】
【０００９】
クリーニングしたい水晶玉を本発明の指定した位置に置くだけで、本発明は自動的に水晶玉を死角なくクリーニングでき、クリーニングの過程において効率が高く、快速であり、人工の手動でクリーニングすることより、大きくクリーニング効率を上げ、クリーニングの質を保証し、同時に人工でクリーニングすることによって水晶玉がダメージを受ける可能性を避ける。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の水晶クリーニング箱の全体構成略図
【図２】図２は図１のＡ―Ａのところの構成略図
【図３】図３は図１のＢ―Ｂのところの構成略図
【図４】図４は図１のＣのところの構成略図
【発明を実施するための形態】
【００１２】
以下、図の説明と実施例とを合わせて本発明についてさらなる一歩に説明し、本発明の方式は以下の実施例を含むが、以下の実施例に限られたものではない。
【００１３】
図１〜４に示すように、本発明の水晶クリーニング箱は、クリーニング箱１０とクリーニング箱１０の中に置かれた空きチャンバ１１とを含み、前記空きチャンバ１１が前方に開口しており、前記空きチャンバ１１の後壁には支持枠ロッド１８が左右に対称的に固定的に設けられ、前記支持枠ロッド１８の前端には下置きブロック１９が固定的に設けられ、前記下置きブロック１９の上端面には電磁石４１が固定的に設けられ、前記下置きブロック１９の上側には上置きブロック２８が設けられ、前記上置きブロック２８と前記下置きブロック１９とが前記電磁石４１が通電された時に固定的に連結され、前記上置きブロック２８と前記下置きブロック１９との間にはクリーニングチャンバ３０が形成され、前記クリーニングチャンバ３０の内壁にはクッション４３が設けられ、使用する時、前記上置きブロック２８を上げ、クリーニングしたい水晶玉を下置きブロック１９の中に置き、そして前記上置きブロック２８を前記下置きブロック１９に置き、前記電磁石４１が通電されて前記上置きブロック２８と前記下置きブロック１９とを固定し、前記クリーニングチャンバ３０の内壁の中には上下に対称している第一抜き穴５０が設けられ、前記第一抜き穴５０が前記クリーニングチャンバ３０の内壁を貫通しており、前記クリーニングチャンバ３０の内壁の中には左右に対称している第二抜き穴４７が設けられ、前記第二抜き穴４７が前記クリーニングチャンバ３０の内壁を貫通しており、前記空きチャンバ１１の中には洗浄機構１００が設けられ、前記洗浄機構１００は取り付けブロック２２と、クリーニングクッション２１とを含み、前記取り付けブロック２２が上下に対称するように設けられ、前記クリーニングクッション２１が前記取り付けブロック２２の相対している端面に取り付けられ、洗浄する時、前記取り付けブロック２２と前記クリーニングクッション２１とが前記第一抜き穴５０の中伸びて水晶玉とくっつき、前記空きチャンバ１１の中には回転機構２００が設けられ、前記回転機構２００は挟みブロック４０と、液圧シリンダー１６と、弓形リング１２と、動力軸５１とを含み、前記挟みブロック４０が左右に対称的に設けられ、且つ相対している面が円弧形面であり、充分に水晶玉にくっつくことができ、前記液圧シリンダー１６が作動した時に前記挟みブロック４０に水晶玉をきつく挟ませ、前記動力軸５１が回転し前記挟みブロック４０を回転連動させ、これにより水晶玉を回転連動させ、前記クリーニングクッション２１の作用によりクリーニングし、一定の時間にクリーニングした後、前記弓形リング１２が回転し前記液圧シリンダー１６と前記挟みブロック４０とを回転連動させ、水晶玉を一定の角度に回転させてクリーニングし、数回繰り返してクリーニングを完成する。
【００１４】
有益的には、前記洗浄機構１００は前記空きチャンバ１１の後壁の中に設けられた親ねじチャンバ２６を含み、前記空きチャンバ１１の後壁にはモーター２５が固定的に設けられ、前記親ねじチャンバ２６の上下壁の間には前記モーター２５と伝動できるように連結された親ねじ２４が回転できるように設けられ、前記親ねじチャンバ２６の中には前記親ねじ２４とネジ山によって連結されたスライドブロック４９が上下に対称的にスライドできるように設けられ、前記スライドブロック４９の前端には中間板２７が固定的に設けられ、前記中間板２７の相対している端面には中間ロッド２３が固定的に設けられ、前記取り付けブロック２２が前記中間ロッド２３の相対している端に固定的に設けられ、前記モーター２５が始動して前記親ねじ２４を回転させ、これにより前記クリーニングクッション２１を移動させて水晶玉にくっつける。
【００１５】
有益的には、前記回転機構２００は前記空きチャンバ１１の後壁に回転できるように設けられた回転軸３２を含み、前記回転軸３２と前記弓形リング１２との間が固定ロッド１７により左右に対称的に固定的に連結され、前記回転軸３２と前記空きチャンバ１１の内壁との間にはトーションバネ５２が連結され、前記回転軸３２の前端には伝動歯車４５が固定的に設けられ、前記空きチャンバ１１の後壁には歯車軸３３が回転できるように設けられ、前記歯車軸３３には副歯車３４が固定的に設けられ、前記歯車軸３３の前端には扇形歯車３７が固定的に設けられ、前記空きチャンバ１１の後壁には傘歯車軸３５が回転できるように設けられ、前記傘歯車軸３５には前記副歯車３４と噛合した主歯車３６が固定的に設けられ、前記傘歯車軸３５の前端には副傘歯車３９が固定的に設けられ、前記弓形リング１２の内壁には回転モーター１４が左右に対称的に、且つ固定的に設けられ、前記回転モーター１４と前記動力軸５１とが伝動できるように連結され、前記動力軸５１の相対している端には回転ブロック１５が固定的に設けられ、前記液圧シリンダー１６が前記回転ブロック１５の相対している端面に固定的に設けられ、前記液圧シリンダー１６の相対している端には液圧軸１３が伝動できるように連結され、前記液圧軸１３の相対している端には連結ロッド２０が固定的に設けられ、前記挟みブロック４０が前記連結ロッド２０の相対している端に固定的に設けられる。
【００１６】
有益的には、前記上置きブロック２８の外円周面には取っ手２９が左右に対称的に、且つ固定的に設けられている。
【００１７】
前記水晶クリーニング箱の実現方法は、以下のステップを含む：
【００１８】
取っ手２９を握って上置きブロック２８を上げ、クリーニングしたい水晶玉を下置きブロック１９の中に置き、上置きブロック２８を下置きブロック１９に置き、電磁石４１が通電されて上置きブロック２８と下置きブロック１９とを固定し、水晶玉の清潔さによってクリーニングクッションに洗浄液をつけるかどうかを決め、クリーニングクッション２１を取り付けブロック２２に取り付け、モーター２５が始動して親ねじ２４を回転させ、これによりスライドブロック４９と、中間板２７と、中間ロッド２３と、取り付けブロック２２とによりクリーニングクッション２１を連動させて水晶玉にくっつけ、液圧シリンダー１６が起動し、液圧軸１３により連結ロッド２０を互いに近づけ、これにより挟みブロック４０に水晶玉をきつく挟ませ、駆動傘歯車３１が副傘歯車３９と噛合し、モーター１４を起動し回転させて動力軸５１が回転させ、これにより挟みブロック４０を回転連動させ、これにより水晶玉を回転連動させ、クリーニングクッション２１の作用によりクリーニングし、一定の時間にクリーニングした後、副傘歯車３９が傘歯車軸３５と、主歯車３６と、副歯車３４と、歯車軸３３とにより扇形歯車３７を回転連動させ、扇形歯車３７が伝動歯車４５を回転連動させ、伝動歯車４５が回転軸３２を回転連動させ、回転軸３２が固定ロッド１７により弓形リング１２を回転連動させ、これにより挟みブロック４０を回転連動させて水晶玉を一定の角度に回転させ、液圧シリンダー１６が作動し挟みブロック４０を水晶玉から離脱させ、回転軸３２がトーションバネ５２の作用により復帰し、液圧シリンダー１６が再び作動して挟みブロック４０を水晶玉にくっつけ、水晶玉を回しし続けてクリーニングを行い、数回繰り返した後にクリーニングを完成する。
【００１９】
上記のように、クリーニングしたい水晶玉を本発明の指定した位置に置くだけで、本発明は自動的に水晶玉を死角なくクリーニングでき、クリーニングの過程において効率が高く、快速であり、人工の手動でクリーニングすることより、大きくクリーニング効率を上げ、クリーニングの質を保証し、同時に人工でクリーニングすることによって水晶玉がダメージを受ける可能性を避ける。
【００２０】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175371.tif 000003
【図２】
2020175371.tif 000004
【図３】
2020175371.tif 000005
【図４】
2020175371.tif 000006
【手続補正書】
【提出日】令和2年1月11日(2020.1.11)
【手続補正１】
【補正対象書類名】特許請求の範囲
【補正対象項目名】全文
【補正方法】変更
【補正の内容】
【特許請求の範囲】
【請求項１】
正面視で、クリーニング箱とクリーニング箱の中に置かれた空きチャンバとを含み、前記空きチャンバが前方に開口しており、前記空きチャンバの後壁には支持枠ロッドが左右に対称的に固定的に設けられ、前記支持枠ロッドの前端には下置きブロックが固定的に設けられ、前記下置きブロックの上端面には電磁石が固定的に設けられ、前記下置きブロックの上側には上置きブロックが設けられ、前記上置きブロックと前記下置きブロックとが前記電磁石が通電された時に固定的に連結され、前記上置きブロックと前記下置きブロックとの間にはクリーニングチャンバが形成され、前記クリーニングチャンバの内壁にはクッションが設けられ、使用する時、前記上置きブロックを上げ、クリーニングしたい水晶玉を下置きブロックの中に置き、そして前記上置きブロックを前記下置きブロックに置き、前記電磁石が通電されて前記上置きブロックと前記下置きブロックとを固定し、前記クリーニングチャンバの内壁の中には上下に対称している第一抜き穴が設けられ、前記第一抜き穴が前記クリーニングチャンバの内壁を貫通しており、前記クリーニングチャンバの内壁の中には左右に対称している第二抜き穴が設けられ、前記第二抜き穴が前記クリーニングチャンバの内壁を貫通しており、前記空きチャンバの中には洗浄機構が設けられ、前記洗浄機構は取り付けブロックと、クリーニングクッションとを含み、前記取り付けブロックが上下に対称するように設けられ、前記クリーニングクッションが前記取り付けブロックの相対している端面に取り付けられ、洗浄する時、前記取り付けブロックと前記クリーニングクッションとが前記第一抜き穴の中伸びて水晶玉とくっつき、前記空きチャンバの中には回転機構が設けられ、前記回転機構は挟みブロックと、液圧シリンダーと、弓形リングと、動力軸とを含み、前記挟みブロックが左右に対称的に設けられ、且つ相対している面が円弧形面であり、充分に水晶玉にくっつくことができ、前記液圧シリンダーが作動した時に前記挟みブロックに水晶玉をきつく挟ませ、前記動力軸が回転し前記挟みブロックを回転連動させ、これにより水晶玉を回転連動させ、前記クリーニングクッションの作用によりクリーニングし、一定の時間にクリーニングした後、前記弓形リングが回転し前記液圧シリンダーと前記挟みブロックとを回転連動させ、水晶玉を一定の角度に回転させてクリーニングし、数回繰り返してクリーニングを完成し、
前記洗浄機構は前記空きチャンバの後壁の中に設けられた親ねじチャンバを含み、前記空きチャンバの後壁にはモーターが固定的に設けられ、前記親ねじチャンバの上下壁の間には前記モーターと伝動できるように連結された親ねじが回転できるように設けられ、前記親ねじチャンバの中には前記親ねじとネジ山によって連結されたスライドブロックが上下に対称的にスライドできるように設けられ、前記スライドブロックの前端には中間板が固定的に設けられ、前記中間板の相対している端面には中間ロッドが固定的に設けられ、前記取り付けブロックが前記中間ロッドの相対している端に固定的に設けられ、前記モーターが始動して前記親ねじを回転させ、これにより前記クリーニングクッションを移動させて水晶玉にくっつけ、
前記回転機構は前記空きチャンバの後壁に回転できるように設けられた回転軸を含み、前記回転軸と前記弓形リングとの間が固定ロッドにより左右に対称的に固定的に連結され、前記回転軸と前記空きチャンバの内壁との間にはトーションバネが連結され、前記回転軸の前端には伝動歯車が固定的に設けられ、前記空きチャンバの後壁には歯車軸が回転できるように設けられ、前記歯車軸には副歯車が固定的に設けられ、前記歯車軸の前端には扇形歯車が固定的に設けられ、前記空きチャンバの後壁には傘歯車軸が回転できるように設けられ、前記傘歯車軸には前記副歯車と噛合した主歯車が固定的に設けられ、前記傘歯車軸の前端には副傘歯車が固定的に設けられ、前記弓形リングの内壁には回転モーターが左右に対称的に、且つ固定的に設けられ、前記回転モーターと前記動力軸とが伝動できるように連結され、前記動力軸の相対している端には回転ブロックが固定的に設けられ、前記液圧シリンダーが前記回転ブロックの相対している端面に固定的に設けられ、前記液圧シリンダーの相対している端には液圧軸が伝動できるように連結され、前記液圧軸の相対している端には連結ロッドが固定的に設けられ、前記挟みブロックが前記連結ロッドの相対している端に固定的に設けられることを特徴とする水晶クリーニング箱。
【請求項２】
前記上置きブロックの外円周面には取っ手が左右に対称的に、且つ固定的に設けられていることを特徴とする請求項１に記載の水晶クリーニング箱。